(57)【要約】【課題】  簡単に着物を着ることができ、且つ、殆ど着崩れすることが無く、従来の着物を加工しても簡単に元に戻すことができ、身長の異なる着衣者でも同じ着物を着ることができる着物の着付け方法、着付け補助具、及び、着付け補助着物を提供する。【解決手段】  着物１の肩山１７から、着衣者の肩から腰骨までの長さ分下方の着物１裏面に第１係合具２を貼着し、前記着物１の裾１８から、着衣者の踵から腰骨までの長さ分上方の着物１裏面に、前記第１係合具２と着脱自在な第２係合具５を貼着し、前記第１係合具２及び前記第２係合具５を貼り合わせてお端折り８を形成し、その後、着物１を羽織り、該着物の下前と上前とを重ね合わせて、下前のお端折り８の山８１に上前のお端折り８の山８１を挿入し、第１の腰紐３及び第２の腰紐４をお端折り８のの山８１の内側で着衣者の胴回りに回し、第１の腰紐３及び伊達締めにそれぞれ固定して、その後、所望の帯９を締める。【選択図】図４
2008150731.tif 000002
【特許請求の範囲】
【請求項１】
着衣前の着物の肩山から、着衣者の肩から腰骨までの長さ分下方の裏面に第１係合具を貼着するとともに、前記着物の裾から、着衣者の踵から腰骨までの長さ分上方の裏面に、前記第１係合具と着脱自在な第２係合具を貼着し、次に、前記第１係合具及び前記第２係合具を貼り合わせてお端折りを形成し、
着衣者の胴回りに伊達締めを締めた後、前記お端折りを形成した前記着物を羽織り、該着物の下前と上前とを重ね合わせて、前記お端折りの下前部分の山に前記お端折りの上前部分の山を挿入し、
一端が前記第１係合具に固定される第１の腰紐を、前記お端折りの山の上前部分の外側及び前記お端折りの山の内側に通して着衣者の胴回りに回し、前記第１の腰紐の他端を前記第１の腰紐の中間部に設けられた係止具に固定するとともに、
一端が前記第１係合具に固定される第２の腰紐を、前記お端折りの山の下前部分の外側に通して、前記第２の腰紐の他端を前記伊達締めに固定し、
その後、所望の帯を締めることを特徴とする着物の着付け方法。
【請求項２】
前記第１係合具及び前記第２係合具の表面は、一方が他方に係着可能な面ファスナであることを特徴とする請求項１に記載の着物の着付け方法。
【請求項３】
前記第１係合具及び前記第２係合具の裏面は、粘着剤であることを特徴とする請求項１又は請求項２に記載の着物の着付け方法。
【請求項４】
前記伊達締めは、１又は複数の体型補正具を装着可能なポケットを有することを特徴とする請求項１から請求項３のいずれかに記載の着物の着付け方法。
【請求項５】
前記伊達締めは、一端の表面と他端の裏面とに、相互に着脱自在な伊達締め固定具が形成されていることを特徴とする請求項１から請求項４のいずれかに記載の着物の着付け方法。
【請求項６】
長さが着物の後幅、着物の前幅、及び着物の衽幅の和の２倍以下の帯状に形成され、着物の裏面に固定可能な第１係合具と、
一方の端部が前記第１係合具の一端に固定され、他方の端部が自腰紐の中間位置に着脱可能な、着物の衿幅、及び着衣者の胴回りの長さの和よりも長い紐状の第１の腰紐と、
一方の端部が前記第１係合具の他端に固定され、着物の衿幅よりも長い紐状の第２の腰紐と、
長さが着物の後幅の２倍、着物の前幅、及び着物の衽幅の和以下の帯状に形成され、着物の裏面に固定可能な第２の係合具と、
着衣者の胴回りより長い帯状に形成され、所定位置で前記第２の腰紐の他方の端部を着脱可能な伊達締めと、を含むことを特徴とする着付け補助具。
【請求項７】
着衣者の着丈以上の身丈を有する着物と、
該着物の裾から、着衣者の踵から腰骨までの長さ分上方の前記着物の裏面に固定され、長さが前記着物の後幅、前幅、及び衽幅の和の２倍以下の帯状に形成される第１係合具と、
前記着物の肩山から、着衣者の肩から腰骨までの長さ分下方の前記着物の裏面に固定され、長さが前記着物の後幅の２倍、前幅、及び衽幅の和以下の帯状に形成され、前記第１係合具と着脱自在な第２係合具と、
一方の端部が前記第１係合具の一端に固定され、他方の端部が自腰紐の中間位置に着脱可能な、前記着物の衿幅、及び着衣者の胴回りの長さの和よりも長い紐状の第１の腰紐と、
一方の端部が前記第１係合具の他端に固定され、他方の端部が着衣者の胴回りに締められた伊達締めの所定位置に着脱可能な、前記着物の衿幅よりも長い紐状の第２の腰紐と、を備えることを特徴とする着付け補助着物。
【発明の詳細な説明】
【技術分野】
【０００１】
本発明は、簡単にお端折りを形成することができる着物の着付け方法、着付け補助具、及び、着付け補助着物に関するものである。
【背景技術】
【０００２】
従来、着物を着る際には、肌襦袢や長襦袢等を羽織って、伊達締めで固定した後、着丈よりも長い身丈の着物を羽織り、裾線が綺麗にそろうようにお端折りを形成し、腰紐をお端折りの山内部で着衣者の胴回りを締めるように結んで固定し、所定の帯を結んで、着物の着付けを完了していた。
【０００３】
しかしながら、着丈より長い身丈の着物を一人でお端折りすることは、裾線が綺麗にならなかったり、不要な皺ができたりして、難しい作業である。また、熟練していないものが着付けを行うと、着用中に腰紐が緩んだり、お端折りが崩れたりして、着崩れしてしまうことも多い。
【０００４】
そこで、着物を上下に分断して、着物用上身頃と着物用下見頃とし、着物用上身頃を羽織り、衿を重ね合わせて腰紐を締め、着物用下見頃を腰部に巻き付けた状態で着物用下見頃の両端部同士を連結し、その後、帯を上下の見頃の重ね合わせ部分に巻き付けるようにしてなる所謂上下２部式の着物が種々提案されている（例えば特許文献１）。また、着物の布地を所定幅つまんで縫合しておはしょりを形成し、着物の左右の衽、衿又は前身頃に、腰紐が取付けられ、両腰紐を着衣者の腰部に巻き付けて連結する簡易着付け着物が開示されている（例えば特許文献２）。
【０００５】
以上のような着物にあっては、着付け時にお端折りを形成する必要が無いので、簡単に着物を着ることができ、且つ、殆ど着崩れすることがない。
【特許文献１】特開２００５−２３２６１１号公報
【特許文献２】特開２００５−３４４２４４号公報
【発明の開示】
【発明が解決しようとする課題】
【０００６】
しかし、上述のような着物は、従来ある着物を裁断したり、縫合したりするものであるため、一旦、この形状に加工してしまうと元に戻すことはできない。したがって、借り物の着物を上述のように加工することはできない。また、一旦加工してしまうと、着丈を変えることはできないので、身長の異なる着衣者が同じ着物を着ることはできない。
【０００７】
そこで、本発明は、簡単に着物を着ることができ、且つ、殆ど着崩れすることが無く、従来の着物を加工しても簡単に元に戻すことができ、身長の異なる着衣者でも同じ着物を着ることができる着物の着付け方法、着付け補助具、及び、着付け補助着物を提供することを目的とする。
【課題を解決するための手段】
【０００８】
上記目的を達成するための請求項１に記載の着物の着付け方法は、着衣前の着物の肩山から、着衣者の肩から腰骨までの長さ分下方の裏面に第１係合具を貼着するとともに、前記着物の裾から、着衣者の踵から腰骨までの長さ分上方の裏面に、前記第１係合具と着脱自在な第２係合具を貼着し、次に、前記第１係合具及び前記第２係合具を貼り合わせてお端折りを形成し、着衣者の胴回りに伊達締めを締めた後、前記お端折りを形成した前記着物を羽織り、該着物の下前と上前とを重ね合わせて、前記お端折りの下前部分の山に前記お端折りの上前部分の山を挿入し、一端が前記第１係合具に固定される第１の腰紐を、前記お端折りの山の上前部分の外側及び前記お端折りの山の内側に通して着衣者の胴回りに回し、前記第１の腰紐の他端を前記第１の腰紐の中間部に設けられた係止具に固定するとともに、一端が前記第１係合具に固定される第２の腰紐を、前記お端折りの山の下前部分の外側に通して、前記第２の腰紐の他端を前記伊達締めに固定し、その後、所望の帯を締めることを特徴とするものである。
【０００９】
なお、ここで、本発明の「お端折り」とは、着物を折り曲げることでＮ字型に形成された、着衣者の胴部にできる重なりの部分をいい、「お端折りの山」とは、着衣した時に着物の胴側に形成される山となる部分をいう。また、「山の内側」とは、山となった部分の頂の下側に形成される着物表面と着物表面との間に挟まれた空間をいう。そして、「山の外側」とは、お端折りの山の外方向の空間であって、着物裏面と着物裏面との間に挟まれた空間をいう。
【００１０】
また、ここで、「着物の上前」とは、着衣した時に着衣者の前側で着物の衿、衽、前身頃などが重なり合う部分のうち、外側に位置することとなる部分をいい、「着物の下前」とは、着衣した時に着衣者の前側で着物の衿、衽、前身頃などが重なり合う部分のうち、着衣者の胴側となる部分をいう。
【００１１】
請求項２に記載の着物の着付け方法は、請求項１に記載の着物の着付け方法であって、前記第１係合具及び前記第２係合具の表面は、一方が他方に係着可能な面ファスナであることを特徴とするものである。
【００１２】
請求項３に記載の着物の着付け方法は、請求項１又は請求項２に記載の着物の着付け方法であって、前記第１係合具及び前記第２係合具の裏面は、粘着剤であることを特徴とするものである。
【００１３】
請求項４に記載の着物の着付け方法は、請求項１から請求項３のいずれかに記載の着物の着付け方法であって、前記伊達締めは、１又は複数の体型補正具を装着可能なポケットを有することを特徴とするものである。
【００１４】
請求項５に記載の着物の着付け方法は、前記伊達締めは、一端の表面と他端の裏面とに、相互に着脱自在な伊達締め固定具が形成されていることを特徴とするものである。
【００１５】
請求項６に記載の着付け補助具は、長さが着物の後幅、着物の前幅、及び着物の衽幅の和の２倍以下の帯状に形成され、着物の裏面に固定可能な第１係合具と、一方の端部が前記第１係合具の一端に固定され、他方の端部が自腰紐の中間位置に着脱可能な、着物の衿幅、及び着衣者の胴回りの長さの和よりも長い紐状の第１の腰紐と、一方の端部が前記第１係合具の他端に固定され、着物の衿幅よりも長い紐状の第２の腰紐と、長さが着物の後幅の２倍、着物の前幅、及び着物の衽幅の和以下の帯状に形成され、着物の裏面に固定可能な第２の係合具と、着衣者の胴回りより長い帯状に形成され、所定位置で前記第２の腰紐の他方の端部を着脱可能な伊達締めと、を含むことを特徴とするものである。
【００１６】
請求項７に記載の着付け補助着物は、着衣者の着丈以上の身丈を有する着物と、該着物の裾から、着衣者の踵から腰骨までの長さ分上方の前記着物の裏面に固定され、長さが前記着物の後幅、前幅、及び衽幅の和の２倍以下の帯状に形成される第１係合具と、前記着物の肩山から、着衣者の肩から腰骨までの長さ分下方の前記着物の裏面に固定され、長さが前記着物の後幅の２倍、前幅、及び衽幅の和以下の帯状に形成され、前記第１係合具と着脱自在な第２係合具と、一方の端部が前記第１係合具の一端に固定され、他方の端部が自腰紐の中間位置に着脱可能な、前記着物の衿幅、及び着衣者の胴回りの長さの和よりも長い紐状の第１の腰紐と、一方の端部が前記第１係合具の他端に固定され、他方の端部が着衣者の胴回りに締められた伊達締めの所定位置に着脱可能な、前記着物の衿幅よりも長い紐状の第２の腰紐と、を備えることを特徴とするものである。
【発明の効果】
【００１７】
請求項１に記載の着物の着付け方法によると、着衣者の踵から腰骨までの長さと、着衣者の肩から腰骨までの長さと、を計測することで、着衣前に適切な位置にお端折りを形成することができる。したがって、外出先で着替える場合などに前もって準備しておくことで、着物の着付けに慣れていない者でも、適切な位置にお端折りを形成した着物を短時間で着衣することができる。
【００１８】
また、請求項１に記載の着物の着付け方法は、第１係合具及び第２係合具を貼り合わせるものであるので、従来の一般的な着物の着付け方法のように胴回りに腰紐を締めるだけのものとは異なり、着崩れする虞がない。
【００１９】
請求項２の発明に係る着物の着付け方法によると、第１係合具及び第２係合具の表面は、一方が他方に係着可能な面ファスナであるので、一旦、第１係合具と第２係合具とを貼り合わせても、再度、貼り直すことができる。したがって、第１係合具と第２係合具との貼り合わせに失敗しても、再度貼りなおすことができる。また、お端折り形成後に着物の着丈を若干調節したい場合にも、第１係合具及び第２係合具の幅の分お端折りを調節することができる。
【００２０】
請求項３の発明に係る着物の着付け方法によると、第１係合具及び第２係合具の裏面が粘着剤であるので、着物の裏面に第１係合具及び第２係合具を貼り付ける際に、縫合する必要がない。そこで、極めて簡単に第１係合具及び第２係合具を着物の裏面に固定することができるとともに、第１係合具及び第２係合具を着物から取り外す際にも、縫合した場合のように着物裏面に穴が開くことなく、綺麗に取り外すことができる。特に、再剥離可能な粘着剤を使用することで、極めて綺麗に取り外すことができる。したがって、従来からある着物を傷つけることなく、簡単に殆ど着崩れしない着付けをすることができる。
【００２１】
請求項４の発明に係る着物の着付け方法によると、着衣者の胴回りに締められる伊達締めが体型補正具を装着可能なポケットを有するので、予め着衣者のウエストサイズに合わせて体型補正具を挿入しておくことで、極めて容易にウエストの体型補正をすることができる。
【００２２】
請求項５の発明に係る着物の着付け方法によると、着衣者の胴回りに締められる伊達締めは、一端の表面と他端の裏面とに、それぞれ一方が他方に着脱自在な係着具が形成されているので、着衣者の胴回りに伊達締めをまわして、それぞれの係着具を貼り合わせるだけで、伊達締めを締めることができる。したがって、従来のように伊達締めを結んで固定する場合に比べて、容易に伊達締めを締めることができる。
【００２３】
また、伊達締めを結んで固定する場合には結び目が身体を圧迫することがあるが、本発明の着物の着付け方法のように、両端に設けられた係着具で固定する場合は、身体を圧迫することなく楽に着付けすることができる。
【００２４】
請求項６の発明に係る着付け補助具によると、第１係合具の長さは着物の後幅、前幅、及び衽幅の２倍の和以下なので、着物の後ろ身頃、左右の前身頃、及び衽の着物裏面に貼り付けることができる。また、第２係合具の長さは着物の着物の後幅の２倍、前幅、及び衽幅の和以下なので、着物の後ろ身頃、右前身頃、及び右衽に貼り付けることができる。そして、第１係合具及び第２係合具を貼り合わせることで、お端折りを形成することができる。以上のように、本着付け補助具を用いると、着物を着衣者が羽織る前に、着物にお端折りを形成することができるので、着物を羽織った後にお端折りを形成する従来の着付けに比べて、簡単にお端折りを形成することができる。また、外出先で着替える場合などに、事前にお端折りを形成しておくことができるので、外出先で着付けに要する時間が極めて短時間で済む。更に、第１係合具と第２係合具とを貼り合わせて固定するので、お端折りが安定し、着崩れする虞がない。特に着崩れし易い下前部分となる右前身頃及び右衽にもお端折りが事前に形成されるので、着崩れを有効に防止できる。また上前となる左前身頃及び左衽は予め貼り合わされることが無いので、着衣時に下前の山内部に上前の山を挿入することができる。
【００２５】
また、第１の腰紐は、着物の衿幅、及び着衣者の胴回りの和よりも長いので、第１の腰紐の一端が着物裏面に固定されている第１係合具の左前身ごろ側の端部に固定されるとともに、着物の上前の衿を通って、お端折りの山内部で着衣者の胴回りを一周することができる。そして、第１の腰紐の他端は、第１の腰紐の中間部に固定されることで、着衣者の胴回りに締めることができる。また、第２の腰紐の一端は着物裏面に固定されている第１係合部の他方の端部に固定され、他方の端部は、着衣者の胴回りに締められた伊達締めに固定できる。以上のように、本着付け補助具を用いると、上前部分の山に下前部分の山を挿入するお端折りを形成し、重なり合うお端折りの山内部に第１の腰紐を通すこととなるので、着衣後の姿が従来の伝統的な着付けと同じようになる。
【００２６】
更に、着物の後ろ身頃裏面に第１係合具及び第２係合具を貼り付けるだけなので、着物を傷める虞が無く、借り物の着物の場合にも本発明の着付け補助具を使用することができる。
【００２７】
請求項７の発明に係る着物によると、第１の係合具が、着物の裾から、着衣者の踵から腰骨までの長さ分上方の着物裏面に固定され、第２の係合具が、着物の肩山から、着衣者の肩から腰骨までの長さ分下方の着物裏面に固定され、第２係合具は第１係合具に着脱自在であるので、着物を羽織る前に第１係合具と第２係合具とを重ね合わせて端折りを形成することができる。したがって、着物を着衣者が羽織る前に、お端折りを形成することができるので、着物を羽織った後にお端折りを形成する従来の着物に比べて、簡単に適切な位置にお端折りを形成することができる。また、外出先で着替える場合などに、事前にお端折りを形成しておくことができるので、外出先で着付けに要する時間が極めて短時間で済む。更に、第１係合具と第２係合具とを貼り合わせて固定するので、お端折りが安定し、着崩れする虞がない。
【発明を実施するための最良の形態】
【００２８】
以下、本発明の実施形態について、図面を参照しつつ説明する。
【００２９】
まず、本発明に用いられる着物１の一例について図１を参照しつつ説明する。着物１は、左右の袖１０、１０、衿１１、左衿１１ａ、右衿１１ｂ、右衽１２、右前身頃１３、左衽１４、左前身頃１５、及び、後ろ身頃１６を有する。そして、後ろ身頃１６の上端は着衣した時に着衣者の肩の位置となる肩山１７であり、右衽１２、右前身頃１３、左衽１４、左前身頃１５、及び、後ろ身頃１６の下端は着衣した時に着衣者の踵の高さに位置することとなる裾１８である。なお、肩山１７から裾１８までの長さを着物１の身丈といい、後述するお端折りを形成して着衣者の背丈に合わせたものを着丈という。また、右前身頃１３及び左前身頃１５の幅は前幅Ｌ１であり、右衽１２及び左衽１４の幅は衽幅Ｌ２であり、左右の衿１１ａ、１１ｂの幅は衿幅Ｌ３である。そして、後ろ身頃１６の縦の中心線である背中心から後ろ身頃１６の左右どちらかの縁までの長さが後幅Ｌ４である。
【００３０】
なお、本発明の「着物」は、上述の構成に限られず振袖、留袖、訪問着、付下げ、浴衣等の着物を適用することができ、着物の身丈が着衣者の肩から踵までの長さよりも長い着物であって、お端折りを形成することができる様々な着物を適用することができる。
【００３１】
次に、着物１の裏面に固定される第１係合具２、第１の腰紐３、第２の腰紐４、及び、第２係合具５について、図２を参照しつつ説明する。なお、ここで着物１の裏面とは、着衣した時に着衣者側となる面をいう。
【００３２】
第１係合具２は、図２（ａ）に示すように、着物の前幅Ｌ１、衽幅Ｌ２、後幅Ｌ４の和の２倍以下の長さの帯状に形成され、一端には第１の腰紐３が固定されており、他端には第２の腰紐４が固定されている。この第１係合具２は、一方の面に第１面ファスナ２１を形成しており、他方の面は着物の裏面に貼着可能な粘着剤が塗布された第１粘着面２２を形成している。この粘着剤としては、例えばアクリル系エマルジョン型粘着剤などを用いることができ、着物の裏面に貼り付けた状態で、応力が発生しても剥がれにくく、且つ、剥がした時に糊残りしにくいものが好ましい。
【００３３】
第１の腰紐３は、着衣者の胴回りの長さ、及び衿幅Ｌ３の和よりも長い紐状に形成されている。また、第１の腰紐３の一方の端部は第１係合具２の一端に縫合されており、第１の腰紐３の他方の端部は面ファスナからなる係止具３２が設けられている。そして、第１の腰紐３の中間部のうち、端部に設けられた係止具３２から着衣者の胴回りの長さ程の間隔をあけて、面ファスナからなる係着具３３が複数列設されており、係止具３２と着脱自在となっている。また、第２の腰紐４は、着物１の衿幅Ｌ３よりも長い紐状に形成されており、第２の腰紐４の一方の端部は第１係合具２の他端に縫合されており、第２の腰紐４の他方の端部は面ファスナからなる固定具４２が形成されている。
【００３４】
第２係合具５は、図２（ｂ）に示すように、前述の第１係合具２とほぼ同一幅であって、長さが着物の後幅Ｌ４の２倍、前幅Ｌ１、衽幅Ｌ２の和以下である帯状に形成され、一方の面は第２面ファスナ５１を形成しており、他方の面には着物の裏面に貼着可能な粘着剤が塗布された第２粘着面５２が形成されている。なお、この第２粘着面５２の粘着剤は、第１係合具２の粘着剤と同様のものでよく、着物１の裏面に貼り付けた状態で、応力が発生しても剥がれにくく、且つ、剥がした時に糊残りしにくいものが好ましい。
【００３５】
このように構成される第１係合具２、第１の腰紐３、第２の腰紐４、及び、第２係合具５を着物１に固定するときには、まず、着衣者の肩から腰骨までの長さと着衣者の腰骨から踵までの長さとを計測する。
【００３６】
そして、次に、図３に示すように、着物１の後ろ身頃１６、左右前身頃１３、１５、及び左右衽１２、１４の裏面の肩山１７から長さＬ５下方の位置に、第１の腰紐３が左前身頃１５側となり、第２の腰紐４が右前身頃１３側となるように、第１係合具２の第１粘着面２２を貼り付ける。そして、着物１の後ろ身頃１６、右前身頃１３、右衽１２の裏面の裾から長さＬ６上方に第２係合具５の第２粘着面５２を貼り付ける。ここで、長さＬ５は、着衣者の肩から着衣者の腰骨までの長さと等しく、長さＬ６は、着衣者の腰骨から着衣者の踵までの長さと等しい。そして、着衣者が着物を着るときの着物の適切な長さ、すなわち着物１の着丈は、着衣者の肩から着衣者の踵までの長さである。したがって、上述の長さＬ５と長さＬ６との和は着物１の着丈である。
【００３７】
なお、第１係合具２の長さは、着物の後幅Ｌ４、着物の前幅Ｌ１、及び着物の衽幅Ｌ２の和の２倍以下なので、第１係合具２は左右両衽１２、１４から左右の衿１１ａ、１１ｂ側にはみ出さずに貼り付けることができる。また、第２係合具５の長さは、着物の後幅Ｌ４の２倍すなわち着物の後ろ身頃の幅、着物の前幅Ｌ１、及び着物の衽幅Ｌ２の和以下なので、第２係合具５の一端は着物の右衽１２から右衿１１ｂ側にはみ出さず、第２係合具５の他端は着物の後ろ身頃１６から左前身頃１５側にはみ出さずに貼り付けることができる。第１の腰紐３及び第２の腰紐４の端部はそれぞれ第１係合具２の端部に縫合されているので、第１係合具２が着物１の裏面に固定されることで、第１の腰紐３及び第２の腰紐４の端部も着物１の裏面に固定される。なお、第１の腰紐３の長さは、衿幅Ｌ３、及び着衣者の胴回りの長さの和よりも長いので、一端が第１係合具２に固定された第１の腰紐３は着衣した時に、左衿１１ａから突出して、更に、着衣者の胴回りを一周することができる。また、第２の腰紐４の長さは、衿幅Ｌ３よりも長いので右衿１１ｂから突出することができる。
【００３８】
なお、本発明における「着付け補助着物」は、本実施形態においては、このように着物１に第１係合具２、第１の腰紐３、第２の腰紐４、第２係合具５を取付けたものに相当する。
【００３９】
次に、図４に示すように、着物１の後ろ身頃１６の裏面に貼り付けた第１係合具２及び第２係合具５が重なり合うように、着物１を折り曲げてお端折り８を形成する。すなわち、図５に示すように、第１係合具２はその第１粘着面２２が着物１の後ろ身頃１６に固着され、また、第２係合具５はその第２粘着面５２が着物１の後ろ身頃１６に固着されており、この第１係合具２の第１面ファスナ２１と第２係合具５の第２面ファスナ５１とを貼り合せることでお端折り８を形成する。第１面ファスナ２１及び第２面ファスナ５１は、一方が他方に係着可能な面ファスナであるので、第１係合具２及び第２係合具５は重なり合った状態で係着して、お端折り８を固定する。なお、ここで、着衣時にＮ字形状となるお端折り８のうち、山となる部分をお端折り８の山８１と呼ぶ。
【００４０】
また、このとき、肩山１７から第１係合具２までの長さは着衣者の肩から腰骨までの長さであり、第２係合具５から裾１８までの長さは着衣者の腰骨から踵までの長さであるので、第１係合具２と第２係合具５とを重ね合わせてお端折りを形成した後の着物１の着丈Ｌ７は、着衣者の肩から踵までの長さ、すなわち、着物１の着丈となる。このように着衣者は自分の肩から腰骨までの長さ及び腰骨から踵までの長さを測るだけで、自分の背丈にあった適切な着丈Ｌ７に着物１を調節することができる。
【００４１】
次に、伊達締め６の構成について、図６を参照しつつ説明する。図６は、伊達締め６の構成を示す斜視図である。伊達締め６は、着衣者の胴回りよりも長い帯形状の布であり、一方の端部の表面及び他方の端部の裏面には面ファスナからなる伊達締め固定具６１、６２が形成されている。伊達締め固定具６１と伊達締め固定具６２とは相互に着脱可能であるので、伊達締めを着衣者の胴回りに締めて固定することができる。また、伊達締め６の裏面の中間部には、ポケット６３が形成されており、数種類の厚みの異なる体型補正具６４を挿入可能となっている。なお、ここで体型補正具６４は、例えばタオルでよく、その他、さらし、脱脂綿、及び、ガーゼなどを好適に用いることができる。
【００４２】
着衣者は、自身のウエストサイズに合わせて、体型補正具６４をポケット６３に挿入して、伊達締め６を胴回りに締めることで、容易にウエストの体型補正をすることができる。また、伊達締め６の表面の中間部には面ファスナからなる係着具６５が貼着されており、前述の第２の腰紐４の端部に形成された固定具４２を貼り付けることができる。
【００４３】
なお、本発明の「着付け補助具」は、本実施形態において、第１係合具２、第１の腰紐３、第２の腰紐４、第２係合具５、及び伊達締め６に相当する。
【００４４】
次に本発明の着物の着付け方法について、図７から図１６を参照しつつ説明する。図７に示すように、まず、着衣者が羽織った長襦袢７の衿を重ね合わせる。そして、着衣者のウエストサイズに合わせて体型補正具６４をポケット６３に挿入した伊達締め６を着衣者の胴回りに周回状に締めて、伊達締め６の伊達締め固定具６１、６２を貼り合わせて固定する。
【００４５】
そして、次に、図８に示すようにお端折り８を形成した着物１を羽織る。そして、左衿１１ａのお端折り８の山８１の外側付近から第１の腰紐３を出し、右衿１１ｂのお端折り８の山８１の外側付近から第２の腰紐４を出す。すなわち、後ろ身頃１６、右前身頃１３、右衽１２に形成されたお端折り８の山８１と、その外側にある着物生地と、に挟まれる位置にある第１係合具２の左前身頃１５側の端部に一端が固定された第１の腰紐３を、着衣者の胴回りに回して、左衿１１ａに形成されているお端折り８の山８１とその外側の布とに挟まれる位置の上部から出す。そして、後ろ身頃１６のに形成されたお端折り８の山８１と、その外側にある布と、に挟まれる位置にある第１係合具２の右前身頃１３側の端部に一端が固定された第２の腰紐４を、着衣者の胴回りに回して、右衿１１ｂに形成されているお端折り８の山８１とその外側の布とに挟まれる位置の上部から出す。
【００４６】
次に、図９及び図１０に示すように、着物１の右前身頃１３、右衽１２、及び、右衿１１ｂを下前にして、着衣者の胴体と密着させて、着物１の右衿１１ｂからはみ出ている第２の腰紐４の端部に形成されている固定具４２を、着衣者の胴回りに固定されている伊達締め６の係着具６５に貼り付ける。これにより、着物１の右前身頃１３、右衽１２、及び右衿１１ｂは着衣者の胴に固定される。
【００４７】
そして次に、着物１の左前身頃１５、左衽１４、及び左衿１１ａを着衣者に固定されている着物１の右前身頃１３、右衽１２、及び右衿１１ｂの外側に重ね合わされる。そして、右前身頃１３、右衽１２、及び右衿１１ｂのお端折りを、左前身頃１５、左衽１４、及び左衿１１ａのお端折りの着物表面に挟まれた内側部分に挿し入れて、お端折り同士を重ね合わせる。そして、左衿１１ａのお端折り部分の着物裏面に挟まれた上部から出た第１の腰紐３は、図１１に示すように、右衿１１ｂ、右衽１２、右前身頃１３、後ろ身頃１６、左前身頃１５、左衽１４、左衿１１ａの順に、お端折りの着物表面に挟まれる部分の上部で、着衣者の胴回りを１周させた後、図２及び図１２に示すように、当該第１の腰紐３の中間部に設けられた係着具３３に、第１の腰紐３の端部に設けられた係止具３２を貼り合わせることで固定する。
【００４８】
なお、このとき、左前身頃１５に形成されたお端折り８と右前身頃１３に形成されたお端折り８とが重なり合う断面は、図１３に示すように、左右の着物の前身頃１５、１３が重なり合って折り曲げられた状態のお端折りを形成している。すなわち左の前身頃１５に形成されたお端折り８の山８１の内側に、右の前身頃１３に形成されたお端折り８の山８１を挿入するので、従来の着物と同様の自然なお端折りを形成することができる。また、このとき、第１の腰紐３は従来の着付けにおいて腰紐が固定される位置である左右前身頃１５、１３の山になった部分の内部に位置することとなるので、着衣者は従来の着物の着付けと同様に本格的な着付けであると感じることができる。
【００４９】
以上のようにして、図１４及び図１５に示すような着物の前姿及び後姿にお端折りを形成した後、図１６に示すように所望の帯を締めて着物の着付けを終了する。
【００５０】
なお、本発明は上述の実施形態に限定されるものではなく、本発明の技術的思想を逸脱しない範囲における種々の変形例、設計変更などをその技術的範囲内に包含するものであることは云うまでもない。
【産業上の利用可能性】
【００５１】
本発明に係る着付け方法、着付け補助具、及び、着付け補助着物は、着崩れしないお端折り８を容易に形成できるので、着物の着付けに不慣れな人向きの着付け方法、着付け補助具、及び、着付け補助着物として好適に用いることができる。
【図面の簡単な説明】
【００５２】
【図１】着衣前の着物１の後ろ姿を示す正面図である。
【図２】第１係合具２、第１の腰紐３、第２の腰紐４、及び第２係合具５の構成を示す斜視図である。
【図３】着衣前の着物１の裏面の後ろ身頃１６に第１係合具２、及び第２係合具５を貼着した状態を示す正面図である。
【図４】着衣前の着物１にお端折り８を形成した状態を示す正面図である。
【図５】図４のａ−ａ断面図である。
【図６】伊達締め６の表面及び裏面を示す簡略斜視図である。
【図７】伊達締め６を締めた状態を示す着衣状態図である。
【図８】着物１を羽織った状態を示す着衣状態図である。
【図９】右前身頃１３、右衽１２、右衿１１ｂを着衣者の胴に固定した状態を示す着衣状態図である。
【図１０】第２の腰紐４の固定具４２を伊達締め６の係着具６５に貼着した状態を示す簡略斜視図である。
【図１１】左衿１１ａから出た第１の腰紐３を着衣者の胴回りに回す状態を示す着衣状態図である。
【図１２】第１の腰紐３の取り付け位置を説明する簡略説明図である。
【図１３】左右の前身頃１５、１３のお端折りが重なり合う部分の構造を示す断面図である。
【図１４】着物１を着衣した着衣者の前姿を示す図である。
【図１５】着物１を着衣した着衣者の後ろ姿を示す図である。
【図１６】着付けを完了した着衣者の前姿を示す図である。
【符号の説明】
【００５３】
１    着物
２    第１係合具
３    第１の腰紐
４    第２の腰紐
５    第２係合具
６    伊達締め
８    お端折り
１１  ａ左衿
１１  ｂ右衿
１２  右衽
１３  右前身頃
１４  左衽
１５  左前身頃
１６  後ろ身頃
１７  肩山
１８  裾
２１  第１面ファスナ
２２  第１粘着面
３２  係止具
３３  係着具
４２  固定具
５１  第２面ファスナ
５２  第２粘着面
６１  伊達締め固定具
６３  ポケット
６４  体型補正具
８８  お端折りの山
９１  着付け補助着物
９２  着付け補助具
【図１】
2008150731.tif 000003
【図２】
2008150731.tif 000004
【図３】
2008150731.tif 000005
【図４】
2008150731.tif 000006
【図５】
2008150731.tif 000007
【図６】
2008150731.tif 000008
【図７】
2008150731.tif 000009
【図８】
2008150731.tif 000010
【図９】
2008150731.tif 000011
【図１０】
2008150731.tif 000012
【図１１】
2008150731.tif 000013
【図１２】
2008150731.tif 000014
【図１３】
2008150731.tif 000015
【図１４】
2008150731.tif 000016
【図１５】
2008150731.tif 000017
【図１６】
2008150731.tif 000018